(57)【特許請求の範囲】
【請求項１】
複数の自動販売機と、通信衛星と、中央管理センタとにより構築された自動販売機集中管理システムであって、
上記自動販売機は、
本体部分に設けられるとともに商品を保充する商品保充庫と、
上記本体部分に設けられた扉と、
上記扉の開閉を検知する開閉検知ボタンと、
上記商品保充庫に保充されている商品個数を示す商品保充データを記憶する記憶手段と、
上記商品保充庫から取り出される商品を検知する商品検知センサと、
時間を計時するタイマと、
上記タイマの計時の停止と再開を指示する計時制御手段と、
上記商品保充庫から商品が排出された旨を上記商品検知センサから受けるごとに、上記記憶手段に記憶されている商品保充データの該当商品の個数を減算して商品保充データを更新し、更新した商品保充データを上記記憶手段に記憶させる商品保充データ更新手段と、
上記記憶手段に記憶されている上記商品保充データを、上記通信衛星を介して上記中央管理センタに送信する送信手段と、
を具備し、
上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記通信衛星を介して上記中央管理センタに送信し、
上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記通信衛星を介して上記中央管理センタに送信するようにした
ことを特徴とする自動販売機集中管理システム。
【請求項２】
複数の自動販売機と、公衆回線網と、中央管理センタとにより構築された自動販売機集中管理システムであって、
上記自動販売機は、
本体部分に設けられるとともに商品を保充する商品保充庫と、
上記本体部分に設けられた扉と、
上記扉の開閉を検知する開閉検知ボタンと、
上記商品保充庫に保充されている商品個数を示す商品保充データを記憶する記憶手段と、
上記商品保充庫から取り出される商品を検知する商品検知センサと、
時間を計時するタイマと、
上記タイマの計時の停止と再開を指示する計時制御手段と、
上記商品保充庫から商品が排出された旨を上記商品検知センサから受けるごとに、上記記憶手段に記憶されている商品保充データの該当商品の個数を減算して商品保充データを更新し、更新した商品保充データを上記記憶手段に記憶させる商品保充データ更新手段と、
上記記憶手段に記憶されている上記商品保充データを、上記公衆回線網を介して上記中央管理センタに送信する送信手段と、
を具備し、
上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記公衆回線網を介して上記中央管理センタに送信し、
上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記公衆回線網を介して上記中央管理センタに送信するようにした
ことを特徴とする自動販売機集中管理システム。
【請求項３】
複数の自動販売機と、通信衛星と、中央管理センタとにより構築された自動販売機集中管理システムであって、
上記自動販売機は、
本体部分に設けられるとともに商品を保充する商品保充庫と、
上記本体部分に設けられた扉と、
上記扉の開閉を検知する開閉検知ボタンと、
上記商品保充庫に保充されている商品個数が所定個数以下である商品を示す商品保充データを記憶する記憶手段と、
上記商品保充庫から取り出される商品を検知する商品検知センサと、
時間を計時するタイマと、
上記タイマの計時の停止と再開を指示する計時制御手段と、
上記商品検知センサにより、上記商品保充庫に保充されている商品が所定個数以下になったことが検知されると、上記記憶手段に記憶されている上記商品保充データに該当商品を登録する商品保充データ登録手段と、
上記記憶手段に記憶されている上記商品保充データを、上記通信衛星を介して上記中央管理センタに送信する送信手段と、
を具備し、
上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記通信衛星を介して上記中央管理センタに送信し、
上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記通信衛星を介して上記中央管理センタに送信するようにした
ことを特徴とする自動販売機集中管理システム。
【請求項４】
複数の自動販売機と、公衆回線網と、中央管理センタとにより構築された自動販売機集中管理システムであって、
上記自動販売機は、
本体部分に設けられるとともに商品を保充する商品保充庫と、
上記本体部分に設けられた扉と、
上記扉の開閉を検知する開閉検知ボタンと、
上記商品保充庫に保充されている商品個数が所定個数以下である商品を示す商品保充データを記憶する記憶手段と、
上記商品保充庫から取り出される商品を検知する商品検知センサと、
時間を計時するタイマと、
上記タイマの計時の停止と再開を指示する計時制御手段と、
上記商品検知センサにより、上記商品保充庫に保充されている商品が所定個数以下になったことが検知されると、上記記憶手段に記憶されている上記商品保充データに該当商品を登録する商品保充データ登録手段と、
上記記憶手段に記憶されている上記商品保充データを、上記公衆回線網を介して上記中央管理センタに送信する送信手段と、
を具備し、
上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記公衆回線網を介して上記中央管理センタに送信し、
上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記公衆回線網を介して上記中央管理センタに送信するようにした
ことを特徴とする自動販売機集中管理システム。
【発明の詳細な説明】
【０００１】
【発明の属する技術分野】
この発明は自動販売機集中管理システムに関し、特に自動販売機に保充されている商品状態を中央管理センタで把握するようにしたものである。
【０００２】
【従来の技術】
近年、例えば缶，ペットボトル，瓶のジュース，コーヒ等の商品（以下、単に商品という）を販売する自動販売機が街頭やビル内に多く設置されている。
【０００３】
ところで、自動販売機に商品を保充するには、納入者が商品を配送車に乗せ、定期的に販売機に出向いていき商品を保充している。
【０００４】
このように、納入者が自動販売機に定期的に出向いて商品を保充するのでは、商品の保充を必要としていない販売機にも出向かなければならず、無駄な労力とコストとが発生するという問題点があった。
【０００５】
【発明が解決しようとする課題】
この発明は上記問題点に鑑みてなされたものであり、その目的とするところは、商品保充の必要がない自動販売機に定期的に出向く際の無駄な労力およびコストとを抑える自動販売機集中管理システムを提供することにある。
【０００６】
【課題を解決するための手段】
上記目的を達成するため、請求項１記載の発明は、複数の自動販売機と、通信衛星と、中央管理センタとにより構築された自動販売機集中管理システムであって、上記自動販売機は、本体部分に設けられるとともに商品を保充する商品保充庫と、上記本体部分に設けられた扉と、上記扉の開閉を検知する開閉検知ボタンと、上記商品保充庫に保充されている商品個数を示す商品保充データを記憶する記憶手段と、上記商品保充庫から取り出される商品を検知する商品検知センサと、時間を計時するタイマと、上記タイマの計時の停止と再開を指示する計時制御手段と、上記商品保充庫から商品が排出された旨を上記商品検知センサから受けるごとに、上記記憶手段に記憶されている商品保充データの該当商品の個数を減算して商品保充データを更新し、更新した商品保充データを上記記憶手段に記憶させる商品保充データ更新手段と、上記記憶手段に記憶されている上記商品保充データを、上記通信衛星を介して上記中央管理センタに送信する送信手段と、を具備し、上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記通信衛星を介して上記中央管理センタに送信し、上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記通信衛星を介して上記中央管理センタに送信するようにしたことを特徴とする。
【０００８】
請求項２記載の発明は、複数の自動販売機と、公衆回線網と、中央管理センタとにより構築された自動販売機集中管理システムであって、上記自動販売機は、本体部分に設けられるとともに商品を保充する商品保充庫と、上記本体部分に設けられた扉と、上記扉の開閉を検知する開閉検知ボタンと、上記商品保充庫に保充されている商品個数を示す商品保充データを記憶する記憶手段と、上記商品保充庫から取り出される商品を検知する商品検知センサと、時間を計時するタイマと、上記タイマの計時の停止と再開を指示する計時制御手段と、上記商品保充庫から商品が排出された旨を上記商品検知センサから受けるごとに、上記記憶手段に記憶されている商品保充データの該当商品の個数を減算して商品保充データを更新し、更新した商品保充データを上記記憶手段に記憶させる商品保充データ更新手段と、上記記憶手段に記憶されている上記商品保充データを、上記公衆回線網を介して上記中央管理センタに送信する送信手段と、を具備し、上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記公衆回線網を介して上記中央管理センタに送信し、上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記公衆回線網を介して上記中央管理センタに送信するようにしたことを特徴とする。
【００１４】
請求項３記載の発明は、複数の自動販売機と、通信衛星と、中央管理センタとにより構築された自動販売機集中管理システムであって、上記自動販売機は、本体部分に設けられるとともに商品を保充する商品保充庫と、上記本体部分に設けられた扉と、上記扉の開閉を検知する開閉検知ボタンと、上記商品保充庫に保充されている商品個数が所定個数以下である商品を示す商品保充データを記憶する記憶手段と、上記商品保充庫から取り出される商品を検知する商品検知センサと、時間を計時するタイマと、上記タイマの計時の停止と再開を指示する計時制御手段と、上記商品検知センサにより、上記商品保充庫に保充されている商品が所定個数以下になったことが検知されると、上記記憶手段に記憶されている上記商品保充データに該当商品を登録する商品保充データ登録手段と、上記記憶手段に記憶されている上記商品保充データを、上記通信衛星を介して上記中央管理センタに送信する送信手段と、を具備し、上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記通信衛星を介して上記中央管理センタに送信し、上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記通信衛星を介して上記中央管理センタに送信するようにしたことを特徴とする。
【００１５】
請求項４記載の発明は、複数の自動販売機と、公衆回線網と、中央管理センタとにより構築された自動販売機集中管理システムであって、上記自動販売機は、本体部分に設けられるとともに商品を保充する商品保充庫と、上記本体部分に設けられた扉と、上記扉の開閉を検知する開閉検知ボタンと、上記商品保充庫に保充されている商品個数が所定個数以下である商品を示す商品保充データを記憶する記憶手段と、上記商品保充庫から取り出される商品を検知する商品検知センサと、時間を計時するタイマと、上記タイマの計時の停止と再開を指示する計時制御手段と、上記商品検知センサにより、上記商品保充庫に保充されている商品が所定個数以下になったことが検知されると、上記記憶手段に記憶されている上記商品保充データに該当商品を登録する商品保充データ登録手段と、上記記憶手段に記憶されている上記商品保充データを、上記公衆回線網を介して上記中央管理センタに送信する送信手段と、を具備し、上記計時制御手段は、上記開閉検知ボタンから上記扉が開いた旨を示すＯＦＦ信号を受信すると、計時を停止させ０クリアするように上記タイマに指示し、かつ、上記開閉検知ボタンから上記扉が閉じた旨を示すＯＮ信号を受信すると、計時を再開するように上記タイマに指示する一方で、上記送信手段は、上記タイマが所定時間を計時したときに、上記記憶手段に記憶されている上記商品保充データを上記公衆回線網を介して上記中央管理センタに送信し、上記計時制御手段は、上記送信手段が上記商品保充データを送信すると、計時を停止させ０クリアし、かつ０クリアした後に計時を再開するように上記タイマに指示する一方で、上記送信手段は、上記タイマが所定時間を計時したときに、上記記憶手段に記憶されている上記商品保充データを上記公衆回線網を介して上記中央管理センタに送信するようにしたことを特徴とする。
【００１６】
この発明では、自動販売機の商品保充庫に保充されている商品の保充状態を示す商品保充データを通信衛星または電話回線を介して中央管理センタに送信するため、自動販売機に商品を保充するに際して、商品保充の必要がない自動販売機に出向く必要性をなくすことができる。
【００１７】
【発明の実施の形態】
以下、この発明に係る自動販売機集中管理システムの実施形態を図面に基づき説明する。
【００１８】
＜第１実施形態＞
図１はこの発明に係る自動販売機集中管理システムの第１実施形態の概略構成図である。
【００１９】
この実施形態の自動販売機集中管理システムは、図１に示すように、複数の自動販売機１と、通信衛星２と、中央管理センタ３とで構築され、自動販売機１の商品の保充状態を中央管理センタ３で一元管理するシステムである。
【００２０】
以下、自動販売機１の構成，使用される通信衛星および中央管理センタ３の構成について説明する。
【００２１】
（１）自動販売機１の構成について
自動販売機１は、例えば缶，ペットボトル，瓶のジュース，コーヒ等の商品を自動販売するものであって、図２に示すように、扉Ａには底部において通信制御部１０が設けられている。
【００２２】
また、自動販売機１の本体部分Ｂには、商品６０を保充する＃１〜＃６の商品保充庫５０を有しており、この商品保充庫５０の下部には取出し口５１に取り出される商品６０を検知する＃１〜＃６のセンサ１４が設けられているとともに、扉Ａが取り付けられている側面の底部には扉Ａの開閉を検知する扉開閉検知ボタン１５が設けられ、さらに、上部には通信衛星２にデータを送信するアンテナ１９が設けられている。
【００２３】
通信制御部１０は、図３の破線部分に囲まれた部分に示すように、ＭＰＵ１００，ＲＯＭ１０１，ＲＡＭ１０２，タイマ１０３，発信機１０４と、電源回路１０５とから構成されている。
【００２４】
ＭＰＵ１００は、ＲＯＭ１０１に記憶されているプログラムに基づいて処理を実行するものである。
【００２５】
特に、ＭＰＵ１００は、＃１〜＃６のセンサ１４により商品６０が商品保充庫５０から取り出された旨の通知を受けると、ＲＡＭ１０２に記憶されている商品保充データの該当商品６０の個数を減算するよになっている。
【００２６】
ここで、商品保充データは、各商品保充庫５０に保充されている商品個数を示す情報を有するデータである。
【００２７】
ＲＯＭ１０１は、この自動販売機１の処理を記述したプログラムが記憶されており、ＲＡＭ１０２は上記商品保充データを記憶するものである。
【００２８】
タイマ１０３は、扉Ａが開くと、ＭＰＵ１００に指示に基づき計時を停止して０クリアするようになっているとともに、扉Ａが閉じるとＭＰＵ１００の指示に基づき計時を再開するようになっている。
【００２９】
また、タイマ１０３は、計時し始めて所定時間経過すると、その旨をＭＰＵ１００に通知し、ＭＰＵ１００の指示に基づき計時を停止して計時値を０クリアするようになっているとともに、その後、ＭＰＵ１００からの指示に基づき計時を再開するようになっている。
【００３０】
発信機１０４は、ＲＡＭ１０２に記憶されている上記商品保充データをＭＰＵ１００から受けると、デジタル信号からなる商品保充データをアナログ信号に変調し、このアナログ信号に変調した商品保充データを、所定の周波数帯域内の周波数を有する搬送波に重畳し、これを通信衛星２に十分送信可能な電力に増幅してアンテナ１９を介して通信衛星２に送信するようになっている。
【００３１】
電源回路１０５は、発信機１０４が通信衛星２に送信可能な電力を有する搬送波を形成するための電力を供給するものである。
【００３２】
＃１〜＃ｎのセンサ１４は、光を照射してその透過光、または反射光を計測して商品６０の有無を検知する光センサが使用されており、商品６０が商品取出し口５１に排出されると、この排出される商品６０を検知し、その旨をＭＰＵに１００に出力するようになっている。
【００３３】
なお、＃１〜＃ｎのセンサ１４は、圧力を加えると商品６０を検知する圧力センサを使用してもよい。
【００３４】
扉開閉検知ボタン１５は、自動販売機１の扉を閉めると“ＯＮ”信号をＭＰＵ１００に出力し、一方、自動販売機１の扉を開くと“ＯＦＦ”信号をＭＰＵ１００に出力するようになっている。
【００３５】
（２）使用される通信衛星ついて
この実施形態の自動販売機集中管理システムにおいて使用される通信衛星は、例えばＪＣＳＡＴ、スーパ−バードが使用され、その通信帯域は３ＧＨＺ〜３０ＧＨＺである。
【００３６】
（３）中央管理センタ３について
中央管理センタ３は、通信制御装置３０とホストコンピュータ３１とを備えており、通信制御装置３２は、通信衛星２を介して受信した信号から商品保充データを取り出し、この取り出した商品保充データをデジタル信号に復調するようになっている。
【００３７】
ホストコンピュータ３１は、通信衛星２を介して自動販売機１から受信した商品保充データを内蔵する記憶手段、例えば磁気ディスクに記憶するようになっている。
【００３８】
またホストコンピュータ３１は、必要に応じて磁気ディスクに記憶されている商品保充データに基づき、例えば各納入者に割り当てられた地域に備えられている自動販売機１の商品保充状態を表した一覧表，販売数量を表した一覧票等を作成するようになっている。
【００３９】
ここで、上記各自動販売機１が通信衛星２に送信する商品保充データのフレーム構成について説明する。
【００４０】
商品保充データ４０は、図４に示すように、データの始まりや同期をとるための一連のビット列からなるプリアンブルフィールド４１，自己のアドレス情報を有する送信元アドレスフィールド４２，この商品保充データ４０受信先である中央管理センタのアドレス情報を有する受信先アドレスフィールド４３，各商品保充庫５０ごとに保充されている＃１〜＃６の商品保充内容フィールド４４，受信したこの商品保充データ４０の伝送誤りを検出する一連のビット列からなるＦＣＳフィールド４５，およびデータの終わり等を示す一連のビット列からなるトレイラーフィールド４６から構成されている。
【００４１】
上記＃１〜＃６の商品保充内容フィールド４４は、商品６０を特定する商品番号フィールド４４１および商品保充庫５０に保充されている商品個数フィールド４４２を有している。
【００４２】
次に、この実施形態の自動販売機集中管理システムのうち、自動販売機１が通信衛星２に対して商品保充データ４０を送信するまでの処理を、図５のフローチャートに基づき説明する。
【００４３】
納入者が商品６０を保充するために自動販売機１の扉Ｂを開くと、扉開閉検知ボタン１５は、通信制御部１０に有するＭＰＵ１００に対して扉Ｂが開いた旨を示す“ＯＦＦ”信号を出力する。
【００４４】
すると、ＭＰＵ１００は、扉Ａが開けられたものと検知し（ステップ１１０）、タイマ１０３に計時を停止して、計時値を０クリアするように指示を出力する。
【００４５】
タイマ１０３は、ＭＰＵ１００から上記指示を受けると、この指示に基づき、計時を停止して、計時値を０クリアする（ステップ１２０）。
【００４６】
その後、納入者が本体Ｂの各商品保充庫５１に商品６０を保充し終わり、扉Ａを閉じると、扉開閉検知ボタン１５は、ＭＰＵ１００に対して扉Ａが閉じた旨を示す“ＯＮ”信号を出力する。
【００４７】
すると、ＭＰＵ１００は、扉Ａが閉じられたものと検知し（ステップ１３０）、タイマ１０３に対して計時を開始するように指示を出力する。
【００４８】
タイマ１０３は、ＭＰＵ１００から上記指示を受けると、この指示に基づき、計時を開始する（ステップ１４０）。
【００４９】
その後、ＭＰＵ１００は商品保充データ更新処理を行う。すなわち、ＭＰＵ１００は、各商品保充庫５０から商品６０が商品取出し口５１に排出された旨を各センサ１４から受けるごとに、ＲＡＭ１０２に記憶されている商品保充データ４０の該当商品６０についての商品個数を１減算する。
【００５０】
このようにして、ＭＰＵ１００は商品保充データ作成処理を、タイマ１０３が所定時間経過するまで実行する。
【００５１】
ＭＰＵ１００は、所定時間経過したか否かを、タイマ１０３から所定時間経過した旨の信号を受けた否かで判断し（ステップ１６０）、タイマ１０３から所定時間経過した旨の信号を受けていない場合には（ステップ１６０；Ｎｏ）、ステップ１５０に移行して上記と同様な処理を続行する。
【００５２】
一方、ＭＰＵ１００は、タイマ１０３から所定時間経過した旨の信号を受けた場合には（ステップ１６０；Ｙｅｓ）、ＲＡＭ１０２に記憶されている商品保充データ４０を読み出し、これを発信機１０４に出力する。
【００５３】
発信機１０４は、ＭＰＵ１００から商品保充データ４０を受けると、デジタル信号からなる商品保充データをアナログ信号に変調し、このアナログ信号に変調した商品保充データを、所定の周波数帯域内の周波数を有する搬送波に重畳し、続いて、電源回路１０６から得た電力を用いて搬送波を通信衛星２に十分送信可能な電力に増幅し、アンテナ１９を介して搬送波を通信衛星２に送信する（ステップ１７０）。
【００５４】
その後、ＭＰＵ１００は、タイマ１０３に計時を停止して計時値を０クリアするように指示を出力する。
【００５５】
タイマ１０３は、ＭＰＵ１００から上記指示を受けると、その指示に基づき計時を停止し、計時値を０クリアする（ステップ１８０）。
【００５６】
次に、ＭＰＵ１００は、タイマ１０３に対して計時を開始するように指示を出力し、タイマ１０３に計時を再開させ（ステップ１９０）、ステップ１５０に処理を移行し、上述したと同様な処理を続行する。
【００５７】
この実施形態の自動販売機集中管理システムでは、各自動販売機１から上記商品保充データが通信衛星２を介して中央管理センタ３に送信されるので、中央管理センタ３のホストコンピュータ３１により、受信した商品保充データに基づき、各納入者に割り当てられた地域に備えられた自動販売機１の商品保充状態を表した一覧表を作成することができる。
【００５８】
従って、この一覧表を参照することで、納入者が商品保充の必要がない自動販売機に定期的に出向く際の無駄な労力およびコストとを抑えることができる。
【００５９】
また、ホストコンピュータ３１により、販売数量を表した一覧票を作成することにより、商品の売上げ動向が地域別、時期別に迅速に把握することができ、以後の商品展開についての指針とすることができる。
【００６０】
＜第２実施形態＞
図６は第２実施形態のシステムを構築する自動販売機の通信制御部の構成を示すブロック図である。
【００６１】
以下、上記実施形態のシステムと同様な構成部分には同一な参照符号を付すものとする。
【００６２】
この実施形態の自動販売機集中管理システムは、上記第１実施形態のシステムのように、各自動販売機１が所定時間経過すると通信衛星２を介して中央管理センタに商品保充データ４０を送信するように構成されているものと異なり、各自動販売機１が通信衛星２を介して中央管理センタ３から商品保充データ４０を送信するようにとの指示を受信すると、ＲＡＭ１０２に記憶されている商品保充データ４０を通信衛星２を介して中央管理センタ３に送信するようになっている。
【００６３】
従って、各自動販売機１には、通信制御部１０において、図６に示すように、中央管理センタ３からの指示を受信するための受信機１０６が設けられているが、タイマ１４と、タイマ１４を起動・停止させる信号を出力する扉開閉検知ボタン１５が設けられていない。
【００６４】
また、中央管理センタ３に設けられている通信制御装置３２には、発信機が設けられている。
【００６５】
次に、この実施形態の自動販売機集中管理システムを構成する自動販売機１の動作を、図７のフローチャートに基づき説明する。
【００６６】
ＭＰＵ１００は、各商品保充庫５０から商品６０が商品取出し口５１に取り出された旨を各センサ１４から受けると（ステップ２１０）、ＲＡＭ１０２に記憶されている商品保充データ４０における該当商品についての個数を１減算してデータ４０を更新する（ステップ２２０）。
【００６７】
その後、ＭＰＵ１００は、中央管理センタ３から通信衛星２を介して商品保充データを４０を送信するようにとの指示を受信機１０６から受けると（ステップ２３０）、ＲＡＭ１０２に記憶されている商品保充データ４０を読み出し、発信機１０４に出力する（ステップ２４０）。
【００６８】
発信機１０４は、ＭＰＵ１００から商品保充データ４０を受けると、デジタル信号からなる商品保充データ４０をアナログ信号に変調し、このアナログ信号に変調したデータ４０を、所定の周波数帯域内の周波数を有する搬送波に重畳し、次に、電源回路１０５から供給された電力により通信衛星２に十分送信可能な電力に増幅してアンテナ１９を介して通信衛星２に送信する（ステップ２５０）。
【００６９】
なお、この実施形態のシステムを構築する各自動販売機１および中央管理センタ３を構成する各構成部分は、上記第１実施形態のものと同様な構成になっているので、その詳細説明を省略する。
【００７０】
この実施形態の自動販売機集中管理システムは、中央管理センタ３から必要に応じて通信衛星２を介して各自動販売機１に商品保充データ４０を送信するように指示を出すようにしたことにより、自動販売機１の商品保充状況および販売状況を一層きめ細かく管理することができる。
【００７１】
＜第３実施形態＞
この実施形態の自動販売機集中管理システムは、上記第１，２実施形態のものと同様な構成になっているが、自動販売機１が、商品保充庫５０に保充されている商品６０の個数が所定個数以下である商品６０を示す商品保充データを通信衛星２を介して中央管理センタ３に送信するように構成されている。
【００７２】
従って、自動販売機１の本体部分Ｂに備えられている＃１〜＃６のセンサ１４は、図８に示すように、商品保充庫５０上の所定箇所に設けられており、光センサ１４が使用されている。このセンサ１４は、光を照射してその透過光、または反射光を測定して商品６０の有無を検知するようになっている。
【００７３】
また、このシステムは、＃１〜＃６のセンサが商品保充庫５０に保充されている商品が所定個数以下になったことを検知すると、ＭＰＵ１００がＲＡＭ１０２に記憶されている商品保充データ４０に該商品を登録するようになっている。
【００７４】
この実施形態の自動販売機集中管理システムでは、商品保充データが商品保充庫５０に保充されている商品６０の個数が所定個数以下である商品６０を示す内容であるので、第１，２実施形態のものほど商品保充状態が正確ではないが、中央管理センタ３において、各納入者に割り当てられた地域に備えられた自動販売機１の商品保充状態を表した一覧表をデータ加工を余り施さなくて作成することができる。
【００７５】
＜第４実施形態＞
図９はこの発明に係る自動販売機集中管理システムの第４実施形態の構成を示すブロック図である。
【００７６】
この実施形態の自動販売機集中管理システムは、図９に示すように、複数の自動販売機１と中央管理センタ３との間が公衆回線網４を介して接続されて構築され、所定時間ごとに自動販売機１から中央管理センタ３に上記第１実施形態のものと同様な商品保充データ４０を送信するシステムである。
【００７７】
そして、中央管理センタ３により同様各自動販売機１の保充状況を中央管理センタ３で一元管理するようになっている。
【００７８】
この自動販売機集中管理システムは、上記第１実施形態のものと異なり、商品保充データ４０を公衆回線網で中央管理センタ３に送信するものであるため、各自動販売機１および中央管理センタ３では、第１実施形態を構成する各自動販売機１および中央管理センタ３ものと、次のような点で異なる構成になっている。
【００７９】
自動販売機１は、上記発信機１０４および電力供給回路１０５が不要となり、その代わり、デジタル信号の商品保充データ４０をアナログ信号に変換して、公衆回線網４を介して中央管理センタ３に送信するモデム（図示せず）が設けられている。
【００８０】
なお、自動販売機１および中央管理センタ３は、それ以外については第１実施形態のものと同様な構成になっているので、その構成および動作についてその詳細説明を省略するとともに、この実施形態の自動販売機集中管理システムの効果についても、第１実施形態の自動販売機集中管理システムと同様であるので、その詳細説明を省略する。
【００８１】
＜第５実施形態＞
この実施形態に係る自動販売機集中管理システムは、上記第４実施形態のシステムと同様なシステム構成になっているが、第４実施形態のシステムのように、所定時間ごとに自動販売機１から中央管理センタ３に商品保充データを送信するものとは異なり、公衆回線網４を介して中央管理センタ３から商品保充データ４０を送信するようにとの指示を受信すると、各自動販売機１がＲＡＭ１０２に記憶されている商品保充データ４０を通信衛星２を介して中央管理センタ３に送信するようになっている。
【００８２】
従って、この実施形態の各自動販売機１にはタイマ１４と、タイマ１４を起動・停止させる信号を出力する扉開閉検知ボタン１５が設けられていない。
【００８３】
この実施形態の自動販売機集中管理システムは、中央管理センタ３から必要に応じて公衆回線網４を介して各自動販売機１に商品保充データ４０を送信するように指示を出すようにしたので、第４実施形態のものより各自動販売機１の商品保充状況および販売状況を一層きめ細かく管理することができる。
【００８４】
＜第６実施形態＞
この実施形態の自動販売機集中管理システムは、上記第４，５実施形態のものと同様なシステム構成になっているが、上記第４，５実施形態のシステムのように、各商品保充庫５０に保充されている商品個数を示す商品保充データを自動販売機１から中央管理センタ３に送信するのとは異なり、商品保充庫５０に保充されている商品６０の個数が所定個数以下である商品６０を示す商品保充データを自動販売機１が、中央管理センタ３に送信するように構成されている。
【００８５】
従って、この実施形態の自動販売機集中管理システムでは、商品保充データが商品保充庫５０に保充されている商品６０の個数が所定個数以下である商品６０を示す内容であるので、第４，５実施形態のものほど商品保充状態が正確ではないが、中央管理センタ３において、各納入者に割り当てられた地域に備えられた自動販売機１の商品保充状態を表した一覧表をデータ加工を余り施さなくて作成することができる。
【００８６】
【発明の効果】
この発明は、上記のように構成されているので以下のような効果を有する。
【００８７】
（１）この発明によれば、保充されている商品状態を示す商品保充データ通信衛星または電話回線を介して中央管理センタに送信するので、中央管理センタにおいて各自動販売機の商品保充状態を管理することができる。
【００８８】
従って、納入者が商品保充の必要がない自動販売機に定期的に出向く際の無駄な労力およびコストとを抑えることができる。
【００８９】
（２）特に、この発明によれば、通信衛星または電話回線を介して中央管理センタから必要に応じて各自動販売機１に商品保充データを送信するように指示を出すようにしたことにより、自動販売機の商品保充状況および販売状況を一層きめ細かく管理することができる。
【図面の簡単な説明】
【図１】この発明に係る自動販売機集中管理システムの第１実施形態の概略構成図。
【図２】図１中の自動販売機の概略構成図。
【図３】図２中の通信制御分の構成を示すブロック図。
【図４】自動販売機が送信する商品保充データの送信フレーム構成を示すブロック図。
【図５】図１中の自動販売機の動作を示すフローチャート。
【図６】第２実施形態の自動販売機集中管理システムを構築する自動販売機の通信制御の構成を示すブロック図。
【図７】図２中の通信制御部の構成を示すブロック図。
【図８】第３実施形態の自動販売機集中管理システムを構築する自動販売機の概略構成図。
【図９】この発明に係る自動販売機集中管理システムの第４実施形態の概略構成図。
【符号の説明】
１      自動販売機
１０    通信制御部
１００  ＭＰＵ
１０１  ＲＯＭ
１０２  ＲＡＭ
１０３  タイマ
１０４  発信機
１０５  電源回路
１０６  受信機
１４    センサ
１５    開閉検知ボタン
１９    アンテナ
２      通信衛星
３      中央管理センタ
３０    通信制御装置
３１    ホストコンピュータ
３９    アンテナ
４      公衆回線網
【図１】
0003718384.tif 000002
【図２】
0003718384.tif 000003
【図３】
0003718384.tif 000004
【図４】
0003718384.tif 000005
【図５】
0003718384.tif 000006
【図６】
0003718384.tif 000007
【図７】
0003718384.tif 000008
【図８】
0003718384.tif 000009
【図９】
0003718384.tif 000010